(57)【特許請求の範囲】
【請求項１】
タービンのロータの入口スロットにぴったり合うように構成されるベース部分と、
前記ベース部分から半径方向外側に延びるネック部分であって、前記ロータのポストにぴったり合うように構成され、前記ロータの周りで実質的に連続したダブテールを形成するネック部分と、
前記ネック部分から半径方向外側に延びるシール歯のセットであって、ノズルのシール構成要素のセットと共にシールを形成するように構成されたシール歯のセットと
を備えるインサート。
【請求項２】
前記ネック部分が、第１の面及び第２の面の両方にバケットリッジのセットを含み、前記バケットリッジのセットが、前記ポストのリッジセットとぴったり合って、タービンバケットのセットに対する円周フックのセットを形成するように構成される、請求項１記載のインサート。
【請求項３】
前記ベース部分の第１の部分及び前記ネック部分の第１の部分が、インサートの第１の小区分を構成し、前記ベース部分の第２の部分及び前記ネック部分の第２の部分が、インサートの第２の小区分を構成し、前記インサートの前記第１の小区分及び前記第２の小区分は分離可能である、請求項１又は請求項２記載のインサート。
【請求項４】
前記ネック部分又は前記ベース部分の少なくとも１つが、グラブねじを受け入れるように構成される開口を含む、請求項１乃至請求項３のいずれか１項記載のインサート。
【請求項５】
前記ネック部分が、実質的に平坦な面を備える軸面を含む、請求項１乃至請求項４のいずれか１項記載のインサート。
【請求項６】
前記ベース部分が、前記入口スロットのダブテールとぴったり合うように構成されるダブテール形状である、請求項１乃至請求項５のいずれか１項記載のインサート。
【請求項７】
ステータと、
前記ステータによって実質的に取り囲まれる作動流体通路と、
前記作動流体通路の半径方向外側に構成され、入口スロットのセット及び円周スロットのセットを有するロータと
を備えるタービンであって、前記ロータが、
円周スロットのセットで前記ロータに連結されるタービンバケットのセットと、
入口スロットのセットにぴったり合い、実質的にタービンバケットのセットを円周スロットのセットに所定位置でしっかり固定する、インサートのセットと
を含むタービンであって、前記インサートのセットが、半径方向外側に延びるシール歯のセットを更に備え、前記シール歯のセットが、ノズルのシール構成要素のセットと共にシールを形成するように構成される、のタービン。
【請求項８】
前記インサートのセットの各インサートが、
前記入口スロットのセットの入口スロットにぴったり合うように構成されるベース部分と、
前記ベース部分から半径方向外側に延びるネック部分と
を備え、前記ネック部分が、前記ロータのポストにぴったり合うように構成され、前記ロータの周りで実質的に連続したダブテールを形成する、請求項７記載のタービン。
【請求項９】
前記インサートのセットが、第１の面及び第２の面の両方にバケットリッジのセットを含み、前記バケットリッジのセットが、前記ポストのリッジセットとぴったり合って、タービンバケットのセットに対する円周フックのセットを形成するように構成される、請求項７又は請求項８記載のタービン。
【請求項１０】
前記インサートのセットの各インサートが、分離可能な第１の小区分及び第２の小区分を含む、請求項７乃至請求項９のいずれか１項記載のタービン。
【請求項１１】
前記インサートのセットの少なくとも１つのインサートが、前記ロータにねじで結合される、請求項７乃至請求項１０のいずれか１項記載のタービン。
【請求項１２】
前記インサートのセットの少なくとも１つのインサートが、実質的に平坦な面を有する軸面を含む、請求項７乃至請求項１１のいずれか１項記載のタービン。
【発明の詳細な説明】
【技術分野】
【０００１】
本発明は、タービンに関し、詳細には、タービンロータの接線方向ダブテールバケットの装着及び保持に関する。
【背景技術】
【０００２】
いくつかの発電プラントシステム、例えば、特定の原子力発電、単純サイクル及び複合サイクルの発電プラントシステムは、その設計及び運転においてタービンを用いる。これらの中のいくつかのタービンは、複数の接線方向ダブテールバケットを用いるロータ（例えば、ドラムロータ、ホイール及びダイヤフラムロータ等）を含む。これらのバケットは、ロータポストの入口スロットセットによってロータの周りで円周方向に装着される。装着状態で、運転時にタービン内の過酷な環境条件に起因して、これらのバケットをしっかり固定すること、及び入口スロットをシールすることが必要である。いくつかのシステムは、タービンバケットをロータの周りの所定位置に固定して入口スロットをシールするために、閉鎖バケットに頼っている。装着時、この閉鎖バケットは、各所定段において装着される最後のバケットである。閉鎖バケットが入口スロットの所定位置に装着されると、グラブねじセットを使用して閉鎖バケットをロータに対してしっかりと固定するので、他のタービンバケットをロックして、入口スロットをシールする。しかしながら、グラブねじは、装着及び／又は締結が難しい場合があり、グラブねじに適合するようにロータに形成する必要がある必須のグラブねじ穴は、ロータの応力集中をもたらす場合がある。
【０００３】
図１を参照すると、ロータ２０に連結された公知の閉鎖バケット９２の概略図が示されている。図１に示す閉鎖バケット９２は、バケットシャンク９０及びベーン／ブレード９１を含むことができる。閉鎖バケット９２は、ロータ２０の開口２１のセットにぴったり合って結合するように構成されるグラブねじ９７のセットを用いてロータ２０に連結することができ、結果的に閉鎖バケット９２をロータ２０にしっかり固定する。
【発明の概要】
【発明が解決しようとする課題】
【０００４】
タービンバケット組立体をロータの周りに簡単に装着できるようにすると共に関連のロータの応力集中を低減することが必要である。
【課題を解決するための手段】
【０００５】
タービンバケット組立体をロータの周りに簡単に装着できるようにすると共に関連のロータの応力集中を低減するシステム及び装置が開示される。一実施形態では、インサートは、タービンのロータの入口スロットにぴったり合うように構成されるベース部分と、ベース部分から半径方向外側に延びるネック部分とを含み、ネック部分は、ロータのポストにぴったり合うように構成され、ロータの周りで実質的に連続したダブテールを形成する。
【０００６】
本発明の第１の態様はインサートを提供し、本インサートは、タービンのロータの入口スロットにぴったり合うように構成されるベース部分と、ベース部分から半径方向外側に延びるネック部分とを含み、ネック部分は、ロータのポストにぴったり合うように構成され、ロータの周りで実質的に連続したダブテールを形成する。
【０００７】
本発明の第２の態様はタービンを提供し、本タービンは、ステータと、該ステータによって実質的に取り囲まれる作動流体通路と、該作動流体通路の半径方向外側に構成され、入口スロットのセット及び円周スロットのセットを有するロータとを備え、ロータは、円周スロットのセットでロータに連結されるタービンバケットのセットと、入口スロットのセットにぴったり合い、実質的にタービンバケットのセットを円周スロットのセットに所定位置でしっかり固定するインサートのセットとを含む。
【０００８】
本発明の第３の態様は方法を提供し、本方法は、第１のタービンバケットのセットを第１の入口スロットを通ってロータの第１の円周スロットに装着する段階と、第１のインサートを第１の入口スロットに装着する段階と、第２のタービンバケットのセットを第２の入口スロットを通って、ロータの第１の円周スロットに軸方向に隣接する、第２の円周スロットに装着する段階と、最後のタービンバケットのセットを最後の入口スロットを通って、ロータの最後の円周スロットに装着する段階と、最後のインサートを最後の入口スロットに装着する段階とを含む。
【０００９】
本発明のこれら及び他の特徴は、本発明の種々の実施形態を示した添付図面を参照しながら、本発明の種々の態様に関する以下の詳細な説明から容易に理解されるであろう。
【図面の簡単な説明】
【００１０】
【図１】従来技術による公知の閉鎖バケットの部分的に切り取った概略図。
【図２】本発明の実施形態によるタービンの一部の３次元斜視図。
【図３】本発明の実施形態によるタービンの一部の３次元斜視図。
【図４】本発明の実施形態によるタービンの一部の３次元斜視図。
【図５】本発明の実施形態によるタービンの一部の３次元斜視図。
【図６】本発明の実施形態によるタービンの一部の３次元斜視図。
【図７】本発明の実施形態によるインサートの一部の３次元斜視図。
【図８】本発明の実施形態によるタービンの一部の３次元斜視図。
【図９】本発明の実施形態によるタービンの一部の部分的に切り取った概略図。
【図１０】本発明の実施形態によるインサートの一部の３次元斜視図。
【図１１】本発明の実施形態によるプロセスを示す方法流れ図。
【図１２】本発明の実施形態による複合サイクル発電プラントシステムの一部を示す概略ブロック図。
【図１３】本発明の実施形態による単一軸の複合サイクル発電プラントシステムの一部を示す概略ブロック図。
【発明を実施するための形態】
【００１１】
本発明の図面は縮尺通りではない点に留意されたい。当該図面は、本発明の典型的な態様のみを描くことを意図しており、従って、本発明の範囲を限定するものとみなすべきではない。図面において同様の参照符号は各図面を通じて同じ要素を表す。
【００１２】
本明細書で示す場合、本発明の態様は、タービンバケット組立体のロータ周りの装着を容易にして、運転時にロータに生じる関連の応力集中を低減するシステム、方法、及び装置を提供する。本システムのタービンバケットは、入口スロットを介してロータの周りの円周スロットに装着され、結果的に入口スロットとぴったり合うように構成されるインサートによって所定位置にしっかり固定される。
【００１３】
発電システム（例えば、原子炉、蒸気タービン、ガスタービン等を含む）の分野において、高温流体（例えば、蒸気）で駆動されるタービンは、システムの一部として用いられることが多い。いくつかのタービンは、一つには発電するために使用されるロータ構成要素の一部としてタービンバケット組立体を含む。この組立体のタービンバケットは、バケットシャンク及びブレード（翼形部）を含み、円周スロットにぴったり合うダブテールセットによって、ロータの周りの円周スロットに組み立てられる。組み立て時、タービンバケットは、軸方向又は半径方向入口スロットを介して所定の円周スロットが唯一の残りのバケットスロットルになるまで、順次、円周スロットに挿入される。その後、所定段に挿入される最後のタービンバケットは、入口スロットを通って挿入され、グラブねじセットによってロータに固定される。この最後のタービンバケットは、入口スロットを塞いで他の全てのタービンバケットをロータの周りの所定位置にしっかり固定するために使用される。しかしながら、グラブねじを使用すると、保守及び装着作業が複雑になり、ロータ上に多くの応力集中が発生する場合がある。
【００１４】
本発明の実施形態は、インサートを使用してタービンバケットをロータの周りの所定位置にしっかり固定することで、タービンバケットの保守及び装着を容易にすると共にロータの応力集中を低減するシステム及び装置を提供する。インサートは、入口スロットにぴったりと合い、ロータの周りで実質的に連続した円周方向ポストを形成するように構成される。インサートは、ロータポストによって半径方向及び円周方向に拘束され、軸方向に隣接するタービンバケット及び／又はロータポストによって軸方向に拘束される。このインサートによって、しっかりした装着に必要なグラブねじの数が減り、応力集中が低減する。
【００１５】
図面を参照すると、インサートを含むシステム及び組立体の実施形態が示されており、インサートは、ロータ組み立て作業に影響を与え、応力集中を低減することでロータ、タービン、及び発電システム全体の耐用年数を延ばすことができる。図面の各構成要素は、例えば、図２−１３に示すような共通コンジット又は公知の手段によって、従来方法で結合することができる。特に、図２を参照すると、本発明の実施形態による、ポスト１２０のセットを備えるロータ１１０を含むタービン２００の一部の３次元斜視図が示されている。ポスト１２０のセットは、複数のタービンバケット９３（図９に示す）をロータ１１０の周りにしっかり固定するように構成される円周スロット１６０のセットを備える。ポスト１２０のセットは、ロータ１１０から半径方向外側に延び、タービン２００の段を備える。ポスト１２０のセットは、円周スロット１６０内にフックスロット１１４のセットを備えることで更にタービンバケット９３をロータ１１０にしっかり固定する、軸方向リッジ１２５のセットを含む。一実施形態では、フックスロット１１４のセットは、後方接線方向ダブテールスロット１１１及び前方接線方向ダブテールスロット１１５の両方を含むことができる。一実施形態では、ロータ１１０の端部ポスト１２３は、実質的に平坦な軸面１２７を含むことができる。一実施形態では、少なくとも１つのポスト１２０は、タービンバケット９３の一部を円周スロット１６０のセットに挿入できるように構成される入口スロット１２２（破線で示す）を含むことができる。一実施形態では、タービンバケット９３のバケットシャンク９０は、入口スロット１２２から挿入され、円周スロット１６０に摺動的に収容される。一実施形態では、インサート１４０は、入口スロット１２２に挿入することができるので、ロータ１１０の周りで実質的に連続した円周方向ポスト１２０が形成される。一実施形態では、インサート１４０及びポスト１２０は、ロータ１１０の周りで、バケットシャンク９０及びタービンバケット９３に適合するダブテールを形作る、実質的に連続した軸方向リッジ１２５を形成することができる。一実施形態では、インサート１４０は、軸方向ダブテールによって入口スロット１２２に保持することができる。
【００１６】
図３を参照すると、本発明の実施形態による、ポスト１２０を備えるロータ１１０を含むタービン２００の３次元斜視図が示されている。図２と図３との間で同じ番号が付与される要素は、図２を参照して説明するものと実質的に同じであることを理解されたい。更に、図２−１３を参照して図示及び説明される実施形態では、同じ参照符号は同じ要素を表すことができる。これらの要素の重複する説明は明瞭化のために省略されている。最後に、図２−１３の構成要素、及びその付随する説明は、本明細書で説明する何らかの実施形態に適用できることを理解されたい。
【００１７】
図３に戻ると、本実施形態では、インサート１４０は、ベース部分１４１及び該ベース部分１４１から半径方向外側に延びるネック部分１４６を含むことができる。一実施形態では、ネック部分１４６は、ロータ１１０のポスト１２０とぴったり合う。一実施形態では、ポスト１２０は、更に、入口スロット１２２に形成される半径方向スロット１０２のセットを備える。一実施形態では、半径方向スロット１０２は、インサート１４０上のフランジ１４２のセット（例えば、フック、突起部等）を摺動的に受け入れるように構成でき、インサート１４０をポスト１２０の所定位置をしっかり固定する。一実施形態では、半径方向スロット１０２のセットはダブテール形状とすること、及びフランジ１４２のセットは相補的なダブテール形状とすることができる。一実施形態では、インサート１４０は、実質的に連続するロータ１１０の円周面を形成するように、軸方向リッジ１２５にぴったり合うバケットリッジ１４５のセットを含むことができる。一実施形態では、インサート１４０及びバケットリッジ１４５のセットは、ポスト１２０の形状に一致する。一実施形態では、インサート１４０は、後方接線方向ダブテールスロット１１１及び前方接線方向ダブテールスロット１１５の両方を実質的に完成させることができる。一実施形態では、インサート１４０は、入口スロット１２２に挿入され、所定段の組立体を完成させることができる。
【００１８】
図４を参照すると、本発明の実施形態による、タービン２００の３次元斜視図が示されており、インサート１４０は入口スロット１２２に配置されている。本実施形態では、インサート１４０を入口スロット１２２（インサート１４０によって塞がれている）に挿入することで、ロータ１１０の周りの実質的に連続した円周フックスロット１１４が形成される。一実施形態では、インサート１４０は、ポスト１２０によって半径方向及び円周方向に拘束することができる。
【００１９】
図５を参照すると、本発明の実施形態による、ロータ１１０及び端部ポスト１２３を含むタービン２００の３次元斜視図が示されている。本実施形態では、端部ポスト１２３は、ロータ１１０上の他のポスト１２０のセットに対向し、軸方向リッジ１２５を含む内側軸面１２４を備える。更に、端部ポスト１２３は、実質的に平坦形状とすることができる第２の軸面１２７を含む。一実施形態では、一方向インサート１４３は、端部ポスト１２３の入口スロット１２２に装着することができる。一方向インサート１４３は、平坦面１４７及びバケットリッジ１４５（例えば、フック、突起部等）を含むリッジ面１４４を備える。図６から分かるように、一方向インサート１４３を端部ポスト１２３に装着することで、ロータ１１０の周りの実質的に連続した円周端部ポスト１２３が形成される。端部ポスト１２３は平坦面１２７を含み、リッジ面１２５はタービンバケット９３をしっかり固定するように構成される。一実施形態では、一方向インサート１４３は、ロータ１１０及び／又はポスト１２３と結合するように構成されるグラブねじ５０７（点線で示す）を含むことができる。一方向インサート１４３は、公知の又は今後開発される任意の方法を用いて入口スロット１２２に保持できることを理解されたい。
【００２０】
図７を参照すると、本発明の実施形態による、組み合わせ式のインサート７４０の３次元斜視図が示される。本実施形態では、組み合わせ式インサート７４０は、第１のあわせ面７４６を有する第１の小区分７４２、及び第２のあわせ面７４８を有する第２の小区分７４４を含むことができる。第１の小区分７４２及び第２の小区分７４４は、個々にロータ１１０に挿入できる、組み合わせ式インサート７４０の別個の分離可能な部分とすることができる。一実施形態では、第１の小区分７４２及び第２の小区分７４４は、隣接する構成要素によってロータ１１０及び／又は入口スロット１２２に保持できる。一実施形態では、第１の小区分７４２は作動流体流に面する上流区分を備えることができ、第２の小区分７４４は作動流体流から見て外方に向く下流区分を備えることができる。一実施形態では、第１の小区分７４２及び第２の小区分７４４は、入口スロット１２２（図２に示す）に取り付けて組み合わす式インサート７４０を形成する。一実施形態では、第１のあわせ面７４６及び第２のあわせ面７４８は、直接結合することができる。一実施形態では、第１のあわせ面７４６及び第２のあわせ面７４８は、互いにぴったり合うように構成することができる。一実施形態では、第１の小区分７４２及び第２の小区分７４４を個々に装着することで、インサートがアクセス可能な入口スロット１２２を有していないロータ１１０上のポスト１２０への組み合わせ式インサート７４０の装着が可能になる。一実施形態では、組み合わせ式インサート７４０は複数の区分を含むことができる。一実施形態では、小区分７４２及び／又は７４６の軸方向の幅「Ｗ」は、各ポスト１２０の間の寸法「ｄ」（図８に示す）未満とすることができるので、組み合わせ式インサート７４０を入口スロット８２２に挿入して組み立てることが可能になる。
【００２１】
図８を参照すると、本発明の実施形態による、ポスト８２０のセットを有するロータ８１０を含むタービン８００の３次元斜視図が示されている。本実施形態では、インサート１４０を任意の箇所及び／又はロータ８１０の任意の入口スロット８２２又は８２３に配置できるように、第１の入口スロット８２２は、第２の入口スロット８２３と軸方向に位置合わせされる。これにより、円周スロット１６０がインサート１４０の幅Ｗよりも小さな幅「ｄ」を有する場合でもインサート１４０のポスト８２０への装着が可能になる。本実施形態では、インサート１４０は、装着経路「Ｐ」によって、入口スロット１２２を通って入口スロット１２３に挿入される。インサート１４０は、任意数の軸方向に位置合わせされた入口スロットを通って装着することができることを理解されたい。
【００２２】
図９を参照すると、本発明の実施形態による、ノズル８２及び８７のセット及びタービンバケット９３を含むタービン８００の一部の部分的に切り取った概略図が示されている。本実施形態では、ノズル８２は、ポスト１２０に結合されるシール構成要素１７６のセットをぴったり合わせるアブレイダブル皮膜８６を含むことができる。一実施形態では、シール構成要素１７６のセットは、ポスト１２０に結合される従来式のＪ−シールストリップを含むことができる。一実施形態では、シール構成要素１７６のセットは、コーキングワイヤ１８６によってポスト１２０に結合することができる。一実施形態では、シール構成要素１７６のセットは、アブレイダブル皮膜８６と接触することができる。他の実施形態では、シール構成要素１７６のセットは実質的にアブレイダブル皮膜８６に隣接して配置できる。一実施形態では、アブレイダブル皮膜８６及びシール構成要素１７６のセットは、ラビリンスシール及び／又は従来式のＪ−シールを形成できる。一実施形態では、ノズル８７は、ラビリンスシールを形成するようにシール構成要素１７６のセットにぴったり合う及び／又は対向するように構成されるノズルシール歯８９のセットを含むことができる。
【００２３】
図１０を参照すると、本発明の実施形態による、シールインサート８４０の３次元斜視図が示されている。本実施形態では、シールインサート８４０は、半径方向面８４７上にインサートシール歯１４９のセットを含む。インサートシール歯１４９は、軸方向シールを形成するように、アブレイダブル皮膜８６及び／又はノズルシール歯８９のセット（図９に示す）とぴったり合うように構成される。一実施形態では、シールインサート８４０は、ロータ１１０の円周の周りの軸方向シールを実質的に維持することができる。一実施形態では、インサートシール歯１４９は、アブレイダブル皮膜８６及び／又はノズルシール歯８９のセットと接触することができる。
【００２４】
図１１を参照すると、本発明の実施形態による、例示的な方法のフローチャートが示されている。準備プロセスＰ１（破線で示す）において、タービン２００及びロータ１１０は、複数のタービンバケット９３の装着及び段組み立てのために準備される。これは、スケジュールされた又はユーザが促す組み立て作業に呼応した手法及び／又は機械装置によって行うことができ、タービン２００の外側シェルの取り外し及び／又は分離を含むことができる。プロセスＰ１に続いて、プロセスＰ２において、第１のタービンバケット９３のセットを、ポスト１２０を通って第１の円周スロット１６０へのアクセスを可能にする第１の入口スロット１２２からロータ１１０に装着する。特に、第１のタービンバケット９３のセットは、順次、第１の円周スロット１６０に装着する。一実施形態では、第１のタービンバケット９３のセットは、摺動的に第１の円周スロット１６０へ収容することができる。第１のタービンバケット９３のセットは、第１のタービンバケット９３のセットが第１の円周スロット１６０及びロータ１１０の周りで組立体（例えば、第１の段）を形成するように、互いに隣接して配置する。プロセスＰ２に続いて、プロセスＰ３において、第１のインサート１４０を第１の入口スロット１２２に装着し、第１のタービンバケット９３のセットの所定位置にしっかり固定して、ロータ１１０の周りに実質的に一様なポスト１２０を完成／形成する。一実施形態では、第１のインサート１４０は、個別のセクション（例えば、上流区分８４２及び下流区分８４４）のセットとして装着することができる。他の実施形態では、第１のインサート１４０は、ロータ１１０上の一連のポスト１２０を通る入口スロット１２２から装着できる。一実施形態では、第１のインサート１４０は、ポスト１２０によって半径方向及び円周方向にしっかり固定することができる。プロセスＰ３に続いて、プロセスＰ４において、後続のタービンバケット９３のセットを、順次、ロータ１１０の周りの後続の円周スロット１６０に装着する。これらの後続のタービンバケット９３のセットは、それぞれのインサート１４０によってしっかり固定され、タービン２００の残りの段を形成する。一実施形態では、全ての段及び／又はタービンバケット９３は、全てのポスト１２０を通る、直線的に位置合わせされた入口スロット１２２を構成する入口スロット１２２からロータ１１０に装着できる。プロセスＰ４に続いて、プロセスＰ５において、最後のタービンバケット９３のセットを最後の入口スロット１２２から最後の段の円周スロット１６０に装着する。最後のタービンバケット９３のセットは、最後のタービン２００の最後の段を構成する。プロセスＰ５に続いて、プロセスＰ６において、最後のインサート１４３を最後の入口スロット１２２に装着して、最後のタービンバケット９３のセットを所定位置にしっかり固定する。一実施形態では、最後のインサート１４３は、最後のインサート１４３をロータ１１０及び／又はタービン２００にしっかり固定するように合致するグラブねじ５０７を含むことができる。
【００２５】
図面のデータ流れ図及びブロック図は、本発明の実施形態によるシステム、方法、及びコンピュータプログラム製品の可能性のある実施例のアーキテクチャ、機能性、及び作動を示す。この点において、フローチャート又はブロック図は、特定のロジック機能を実現する１つ又はそれ以上の実行可能な命令を構成するコードのモジュール、セグメント、又は一部を表すことができる。また、特定の変更例において、ブロックで示す機能は、図面に示す順番以外で起こり得ることを理解されたい。例えば、連続して示した２つのブロックは、含まれる機能に応じてほぼ同時に実施することができ、又は逆の順序で実施することもできる。また、特定の機能又は作動を実行する専用ハードウェアベースのシステムによって、又は専用ハードウェア及びコンピュータ命令の組み合わせによって実施できることに留意されたい。
【００２６】
図１２を参照すると、多軸複合サイクル発電プラント９００の一部の概略図が示されている。複合サイクル発電プラント９００は、例えば、発電機９０８に作動可能に連結されるガスタービン９０２を含むことができる。発電機９０８及びガスタービン９０２は、ガスタービン９０２及び発電機９０８の駆動軸（図示せず）の間でエネルギを伝達できる軸９０７によって機械的に連結することができる。また、図１２には、ガスタービン９０２及び蒸気タービン９０６に作動可能に連結される熱交換器９０４が示されている。熱交換器９０４は、従来式の導管（番号付けしていない）によってガスタービン９０２及び蒸気タービン９０６に流体結合できる。ガスタービン９０２及び／又は蒸気タービン９０６は、図２又は本明細書に記載の他の実施形態のドラムロータ１１０及び／又はインサート１４０を含むことができる。熱交換器９０４は、従来の複合サイクル電力システムに使用されるような、従来式の熱回収蒸気発電機（ＨＲＳＧ）とすることができる。発電の技術分野では公知のように、ＨＲＳＧ９０４は、蒸気タービン９０６に供給される蒸気を発生させるために、ガスタービン９０２からの高温排気ガスを水と組み合わせて利用することができる。随意的に、蒸気タービン９０６は、第２の発電機システム９０８（第２の軸９０７によって）に連結することができる。発電機９０８及び軸９０７は、任意のサイズ又は公知の形式とすることができ、用途及び連結されるシステムに応じて異なり得ることを理解されたい。発電機及び軸の共通の参照番号は明瞭化のためのものであり、必ずしもこれらの発電機又は軸が同一であることを示唆するものではない。図１３に示す他の実施形態では、単一軸複合サイクル発電プラント９９０は、ガスタービン９０２及び蒸気タービン９０６の両方に単一軸９０７によって連結される単一の発電機９０８を含むことができる。蒸気タービン９０６及び／又はガスタービン９０２は、図２又は本明細書に記載の他の実施形態のドラムロータ１１０及び／又はインサート１４０を含むことができる。
【００２７】
本発明のインサート及びロータは、特定のタービン、発電システム、又は他のシステムの１つに限定されるものではなく、他の発電システム及び/又は各システム(例えば、複合サイクル、単純サイクル、原子炉等)と一緒に使用することができる。更に、本発明のインサート及びロータは、本明細書に記載されていないが本明細書に記載の安定性、装着容易性、及び固定確実性から恩恵を受けることができる他のシステムと一緒に使用できる。
【００２８】
本明細書で使用される用語は、特定の実施形態を説明するためのものに過ぎず、本発明を限定するものではない。本明細書で使用される単数形態は、前後関係から明らかに別の意味を示さない限り、複数形態も含む。更に、本明細書内で使用する場合に、「含む」及び／又は「備える」という用語は、そこに述べた特徴部、完全体、ステップ、動作、要素及び／又は構成部品の存在を明示しているが、１つ又はそれ以上の特徴部、完全体、ステップ、動作、要素、構成部品及び／又はそれらの群の存在又は付加を排除するものではないことは理解されるであろう。
【００２９】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００３０】
８２  ノズル
８６  アブレイダブル皮膜
８７  ノズル
８９  Ｎノズルシール歯
９０  バケットシャンク
９３  タービンバケット
１０２  半径方向スロット
１１０  ロータ
１１１  接線方向ダブテールスロット
１１４  フックスロット
１１５  前方接線方向ダブテールスロット
１２０  ポスト
１２２  入口スロット
１２３  端部ポスト
１２４  内側軸面
１２５  軸方向リッジ
１２７  平坦な軸面
１４０  インサート
１４１  ベース部分
１４２  フランジ
１４３  一方向インサート
１４４  リッジ面
１４５  バケットリッジ
１４６  ネック部分
１４７  平坦面
１４９  シール歯
１６０  円周スロット
１７６  シール構成要素
１８６  コーキングワイヤ
２００  タービン
５０７  グラブねじ
７４０  組み合わせ式インサート
７４２  第１の小区分
７４４  第２の小区分
７４６  第１のあわせ面
７４８  第２のあわせ面
８００  タービン
８１０  ロータ
８２０  ポスト
８２２  入口スロット
８２３  第２の入口スロット
８４０  シールインサート
８４７  半径方向の面
９００  サイクル発電プラント
９０２  ガスタービン
９０４  熱交換器
９０６  蒸気タービン
９０７  軸
９０８  発電機
９９０  発電プラント
【図１】
0006034167.tif 000002
【図２】
0006034167.tif 000003
【図３】
0006034167.tif 000004
【図４】
0006034167.tif 000005
【図５】
0006034167.tif 000006
【図６】
0006034167.tif 000007
【図７】
0006034167.tif 000008
【図８】
0006034167.tif 000009
【図９】
0006034167.tif 000010
【図１０】
0006034167.tif 000011
【図１１】
0006034167.tif 000012
【図１２】
0006034167.tif 000013
【図１３】
0006034167.tif 000014